(57)【要約】【課題】特に椅子の前端に取り付ける足乗せ用の折り畳み式オットマン装置を提供する。【解決手段】ベースと、第一回転ケースと、第二回転ケースとを有し、その内、該ベースは、固定座と、該固定座に取り付けられる第一段階回転部材とを備え、該第一回転ケースは、第一ケースと、該第一ケースに設置される第二段階回転部材とを備え、該ベースに枢設され、該第二回転ケースは、該第一回転ケースに枢設される。使用時には、第一段階回転部材を駆動して第一回転ケースをベースに対して回転させ、第二段階回転部を駆動して第二回転ケースを第一回転ケースに対して回転させる。従って、使用者が回転ケースに足を延ばして置くことができ、快適で、疲労を解消することができる。【選択図】図２
2013039908.tif 000002
【特許請求の範囲】
【請求項１】
固定座と、該固定座に取り付けられる第一段階回転部材とを備えるベースと、
後端が前記ベースに枢設される第一ケースと、該第一ケースに設置される第二段階回転部材とを備え、前記ベースに枢設され、前記第一段階回転部材により駆動される第一回転ケースと、
後端が前記第一ケースの前端に枢設される第二ケースを備え、前記第一回転ケースに枢設され、第二段階回転部材に駆動され、該第一回転ケースの上面に折り畳み可能である第二回転ケースと、を有することを特徴とする折り畳み式オットマン装置。
【請求項２】
前記第一段階回転部材は、固定座に配置される第一段階直流機と、
該固定座の両側にそれぞれ配置されており、該固定座に取り付けられるケースを有する２つのギア部材であって、該各ケースは、第一段階直流機により駆動される第一段階ウォーム歯車と、該第一段階ウォーム歯車と噛み合う第一段階ウォームと、該第一段階ウォームに同軸に設けられる小ギアと、該小ギアと噛み合う大ギアと、該大ギアに同軸に延設される回転軸を受ける、ギア部材と、
第一ケースの後端各側と各側に対応するギア部材との間に取り付けられると共に、それぞれ回転軸により駆動される２つの第一段階角度調整器とを有することを特徴とする請求項１に記載の折り畳み式オットマン装置。
【請求項３】
前記第二段階回転部材は、第一ケースの後端に配置される第二段階直流機と、該第一ケースの両端に配置される２つの二級ウォーム部材と、２つの第二段階角度調整器とを備え、
その内、該各二級ウォーム部材は、第二段階直流機により駆動される第二段階第一ウォ−ムと、該第二段階第一ウォ−ムと噛み合う第二段階第一ウォ−ムギアと、該第二段階第一ウォ−ムギアに同軸に延設される第二段階第二ウォ−ムと、該第二段階第二ウォ−ムと噛み合う第二段階第二ウォ−ムギアと、該第二段階第二ウォ−ムギアに同軸に延設される駆動輪と、該第一ケースの前端に回転可能に設置される従動輪と、該駆動輪及び従動輪に巻回されるベルトと、該従動輪に同軸に設けられる伝動軸とを有し、
該第二段階角度調整器は第二ケースの後端各側それぞれと第一ケースの前端の対応する側との間に取り付けられ、対応する伝動軸により駆動されることを特徴とする請求項２に記載の折り畳み式オットマン装置。
【請求項４】
前記足置き台が第二回転ケースに枢設されることを特徴とする請求項１乃至３の何れか１項に記載の折り畳み式オットマン装置。
【請求項５】
前記第二回転ケースは、第二ケースに設置された第三段階回転部材を有し、該第三段階回転部材は、第三段階直流機と、２つの後部第三段階第一ウォ−ムと、２つの前部第三段階第一ウォ−ムと、２つの第三段階可撓軸とを有し、該第三段階直流機は、該第二ケースの後端に配置され、該後部第三段階第一ウォ−ムは該第二ケースの後端各側それぞれに設置され、且つ該第三段階直流機により駆動される第三階段後ウォームと、該第三階段後ウォームと噛み合い、該第三段階可撓軸の一端に連結される第三階段後ウォームギアとを備え、該前部第三段階第一ウォ−ムは該第二ケースの前端各側それぞれに設置され、且つ該第三段階可撓軸の他端に連結される第三段階ウォームと、該第三段階ウォームと噛み合う第三段階ウォームギアと、第三段階ウォームギアに同軸に設けられた第三段階ギアと、軸体及び該軸体の一端に設けられる歯車を有すると共に、該歯車が第三段階ギアと噛み合う伝動軸とを備え、該第三段階可撓軸はそれぞれ、該後部第三段階第一ウォ−ム及び前部第三段階第一ウォ−ムを連動し、前記足置き台は、両側の近傍にそれぞれ連結アームが設けられ、該連結アームは、前記第二回転ケースの前端の伝動軸に固定されていることを特徴とする請求項４に記載の折り畳み式オットマン装置。
【請求項６】
前記ケースの一方の一側壁に２つの第一接触スイッチが間隔をおいて取り付けられ、
第二当接部は、一方の回転軸の回転により該第一接触スイッチのうちの一つに接触可能であることを特徴とする請求項２または３に記載の折り畳み式オットマン装置。
【請求項７】
前記第一ケースの後端一側における二級ウォーム部材のうちのひとつに隣接する側に２つの接触検知スイッチが設置され、
前記接触検知スイッチの近傍に該駆動輪に同軸に延設されるネジ棒が設けられ、該ネジ棒に長手方向に沿って移動自在なナットが螺合され、該ナットの外周面に接触タブが延設され、該接触タブは、該２つの接触検知スイッチとの間に介在すると共に、螺旋移動によりそれら該接触検知スイッチのうちの１つと接触可能であることを特徴とする請求項３に記載の折り畳み式オットマン装置。
【請求項８】
前記前部第三段階第一ウォ−ムの近傍位置に設置されるように、前記第二ケースの前端両側に２つの第三段階接触検知スイッチが取り付けられ、
前記足置き台の一方の連結アームに、前記第三段階接触検知スイッチと接触可能な止め凸部が突設され、
前記足置き台が第二回転ケースの上面に向かって回転されて折り畳むことによって、他方の連結アームが他方の第三段階接触検知スイッチに接触することを特徴とする請求項５に記載の折り畳み式オットマン装置。
【発明の詳細な説明】
【技術分野】
【０００１】
本発明は、椅子に関し、特に椅子の前端に取り付ける足乗せ用の折り畳み式オットマン装置に関するものである。
【背景技術】
【０００２】
椅子は、人が座る際に人間の重さを支えるものである。既存の椅子は、座部と、座る人の背を支える背もたれとを有し、その背もたれは座る人のニーズに応じて角度調整器により座部に対する傾斜角度が調整可能なものである。
【０００３】
しかしながら、例えば、長時間自動車での旅行等で人間が椅子に長時間座り、足を長時間曲げることで、筋肉の疲労及び足の痛みや浮腫みを引き起こすおそれがあった。従って、既存の椅子ではさらに改良してすわり心地を高める必要がある。
上記の欠点を解決するために、本発明は上記の問題を軽減または解消する折り畳み式オットマン装置を提供する。
【発明の概要】
【発明が解決しようとする課題】
【０００４】
本発明の主な目的は、座る人が足を延ばした状態において足を支える折り畳み式オットマンを提供することである。既存の椅子は、座部及び背もたれを有するが、長時間自動車に乗る場合など、長時間座席に座る場合、足を曲げたままで、痛み又は浮腫みを引き起こすという問題があった。この問題を解決するために、本発明に係る折り畳み式オットマン装置を開発し、長時間座席に座っていても足を伸ばすことができ、リラックスできる折り畳み式オットマン装置を提供する。
【課題を解決するための手段】
【０００５】
上述した問題を解決するために、本発明に係る折り畳み式オットマン装置は、固定座１１と、該固定座１１に取り付けられる第一段階回転部材とを備えるベース１０と、
後端が前記ベース１０に枢設される第一ケース２１と、該第一ケース２１に設置される第二段階回転部材とを備え、前記ベース１０に枢設され、前記第一段階回転部材により駆動される第一回転ケース２０と、
後端が前記第一ケース２１の前端に枢設される第二ケース３１を備え、前記第一回転ケース２０に枢設され、第二段階回転部材に駆動され、該第一回転ケース２０の上面に折り畳み可能である第二回転ケース３０とを有するものである。
【０００６】
前記第一段階回転部材は、固定座１１に配置される第一段階直流機と、
該固定座１１の両側にそれぞれ配置されており、該固定座１１に取り付けられるケースとを有する２つのギア部材であって、該各ケースは、第一段階直流機により駆動される第一段階ウォーム歯車と、該第一段階ウォーム歯車と噛み合う第一段階ウォームと、該第一段階ウォームに同軸に設けられる小ギアと、該小ギアと噛み合う大ギアと、該大ギアに同軸に延設される回転軸を受ける、ギア部材と、
第一ケースの後端各側と各側に対応するギア部材との間に取り付けられると共に、それぞれ回転軸により駆動される２つの第一段階角度調整器とを有することが好ましい。
【０００７】
前記第二段階回転部材は、第一ケースの後端に配置される第二段階直流機と、該第一ケースの両端に配置される２つの二級ウォーム部材と、２つの第二段階角度調整器とを備え、
その内、該各二級ウォーム部材は、第二段階直流機により駆動される第二段階第一ウォ−ムと、該第二段階第一ウォ−ムと噛み合う第二段階第一ウォ−ムギアと、該第二段階第一ウォ−ムギアに同軸に延設される第二段階第二ウォ−ムと、該第二段階第二ウォ−ムと噛み合う第二段階第二ウォ−ムギアと、該第二段階第二ウォ−ムギアに同軸に延設される駆動輪と、該第一ケースの前端に回転可能に設置される従動輪と、該駆動輪及び従動輪に巻回されるベルトと、該従動輪に同軸に設けられる伝動軸とを有し、
該第二段階角度調整器は第二ケースの後端各側それぞれと第一ケースの前端の対応する側との間に取り付けられ、対応する伝動軸により駆動されることが好ましい。
【０００８】
前記足置き台が第二回転ケースに枢設されてもよい。
【０００９】
前記第二回転ケースは、前記第二ケースに設置された第三段階回転部材を有し、該第三段階回転部材は、第三段階直流機と、２つの後部第三段階第一ウォ−ムと、２つの前部第三段階第一ウォ−ムと、２つの第三段階可撓軸とを有し、該第三段階直流機は、該第二ケースの後端に配置され、該後部第三段階第一ウォ−ムは該第二ケースの後端各側それぞれに設置され、且つ該第三段階直流機により駆動される第三階段後ウォームと、該第三階段後ウォームと噛み合い、該第三段階可撓軸の一端に連結される第三階段後ウォームギアとを備え、該前部第三段階第一ウォ−ムは該第二ケースの前端各側それぞれに設置され、且つ該第三段階可撓軸の他端に連結される第三段階ウォームと、該第三段階ウォームと噛み合う第三段階ウォームギアと、第三段階ウォームギアに同軸に設けられた第三段階ギアと、軸体及び該軸体の一端に設けられる歯車を有すると共に、該歯車が第三段階ギアと噛み合う伝動軸とを備え、該第三段階可撓軸はそれぞれ、該後部第三段階第一ウォ−ム及び前部第三段階第一ウォ−ムを連動し、前記足置き台は、両側の近傍にそれぞれ連結アームが設けられ、該連結アームは、前記第二回転ケースの前端の伝動軸に固定されていることが好ましい。
【００１０】
前記ケースの一方の一側壁に２つの第一接触スイッチが間隔をおいて取り付けられ、
第二当接部は、一方の回転軸の回転により該第一接触スイッチのうちの一つに接触可能であることが好ましい。
【００１１】
前記第一ケースの後端一側における二級ウォーム部材のうちのひとつに隣接する側に２つの接触検知スイッチが設置され、
前記接触検知スイッチの近傍に該駆動輪に同軸に延設されるネジ棒が設けられ、該ネジ棒に長手方向に沿って移動自在なナットが螺合され、該ナットの外周面に接触タブが延設され、該接触タブは、該２つの接触検知スイッチとの間に介在すると共に、螺旋移動によりそれら該接触検知スイッチのうちの１つと接触可能であることが好ましい。
【００１２】
前記前部第三段階第一ウォ−ムの近傍位置に設置されるように、前記第二ケースの前端両側に２つの第三段階接触検知スイッチが取り付けられ、
前記足置き台の一方の連結アームに、前記第三段階接触検知スイッチと接触可能な止め凸部が突設され、
前記足置き台が第二回転ケースの上面に向かって回転されて折り畳むことによって、他方の連結アームが他方の第三段階接触検知スイッチに接触することが好ましい。
【発明の効果】
【００１３】
本発明に係る折り畳み式オットマン装置は、第一回転ケースをベースに対して枢転して展開すると共に、第二回転ケースを第一回転ケースに対して枢転して展開し、第二回転ケースを第一回転ケースの上面へ折り畳むことができるので、使用者の足をオットマン装置に置いて快適に伸ばしてもよく、筋肉の疲労を解消することができる。また、本発明に係る折り畳み式オットマン装置を折り畳んで収納してもよく、車内などの置き場所の空間を節約し、使用上、実用性に優れる。
本発明の他の目的、効果、及び新規の特徴は、添付の図面を参照すれば、以下の詳細な説明から明らかである。
【図面の簡単な説明】
【００１４】
【図１】本発明に係る折り畳み式オットマン装置を折り畳んだ状態を示す斜視図である。
【図２】本発明に係る折り畳み式オットマン装置を展開した状態を示す斜視図である。
【図３】本発明に係る折り畳み式オットマン装置におけるベースを示す斜視図である。
【図４】本発明に係る折り畳み式オットマン装置におけるベースの部分拡大斜視図である。
【図５】本発明に係る折り畳み式オットマン装置における第二段階回転部材の部分拡大斜視図である。
【図６】本発明に係る折り畳み式オットマン装置における第二段階回転部材の部分拡大斜視図である。
【図７】本発明に係る折り畳み式オットマン装置における第二段階回転部材の部分拡大斜視図である。
【図８】本発明に係る折り畳み式オットマン装置における第三段階回転部材及び足置き台の斜視図である。
【図９】本発明に係る折り畳み式オットマン装置における第三段階回転部材の部分拡大分解図である。
【図１０】本発明に係る折り畳み式オットマン装置を展開するための連続動作図である。
【図１１】本発明に係る折り畳み式オットマン装置を展開するための連続動作図である。
【図１２】本発明に係る折り畳み式オットマン装置を展開するための連続動作図である。
【図１３】本発明に係る折り畳み式オットマン装置を展開するための連続動作図である。
【図１４】本発明に係る折り畳み式オットマン装置を展開するための連続動作図である。
【図１５】本発明に係る折り畳み式オットマン装置を展開するための連続動作図である。
【発明を実施するための形態】
【００１５】
以下、添付図面を参照して本発明の適切な実施の形態を詳細に説明する。
【００１６】
図１及び図２に示すように、本発明に係る折り畳み式オットマン装置は、ベース１０と、第一回転ケース２０と、第二回転ケース３０と、足置き台４０とを有する。
【００１７】
図１、図２及び図１０に示すように、前記ベース１０が座席５０の前側に取り付けられ、固定座１１及び第一段階回転部材を備え、該第一段階回転部材は、固定座１１に取り付けられ、第一段階直流機１２と、２つのギア部材１３と、２つの第一段階角度調整器１４を有し、該第一段階直流機１２は、固定座１１の中央に配置され、第一段階直流機１２の両端にそれぞれ可撓軸１２１が設置される。可撓軸１２１は、第一段階直流機１２の両端に結合されている。
【００１８】
図３及び図４に示すように、前記ギア部材１３は固定座１１の両側それぞれに配置され、該各ギア部材１３は、前記固定座１１に取り付けられ、第一段階ウォーム歯車１３２、第一段階ウォーム１３３、小ギア１３４、大ギア１３５及び回転軸１３６を受けるケース１３１を有する。該第一段階ウォーム歯車１３２は、該第一段階直流機１２の対応する該可撓軸１２１により駆動される。該第一段階ウォーム１３３は、該第一段階ウォーム歯車１３２と噛み合っている。該小ギア１３４は、該第一段階ウォーム１３３に同軸に取り付けられている。該大ギア１３５は、該小ギア１３４と噛み合っている。該回転軸１３６は、該大ギア１３５に同軸に取り付けられている。ストッパ１３７が該ケース１３１のうちのひとつの側壁に固定されている。
【００１９】
さらに、一方の回転軸１３６には第一当接部１３８が周設され、該第一当接部１３８は、回転軸１３６の回転によりストッパ１３７の上部または下部に当接可能である。図２に示すように、他方の回転軸１３６Ａには第二当接部１３８Ａが周設され、他方のケース１３１Ａの側壁に２つの第一接触スイッチ１３９、１３９Ａが間隔をおいて取り付けられ、該第二当接部１３８Ａは、回転軸１３６Ａの回転により第一接触スイッチ１３９または第一接触スイッチ１３９Ａに接触可能である。
【００２０】
図２及び図４に示すように、前記第一回転ケース２０は、ベース１０に枢設されると共に、第一ケース２１及び第二段階回転部材を備え、該第一ケース２１は、前端と後端とを有している。該第一ケース２１の後端が２つのギア部材１３との間に位置して枢設され、該第一ケース２１の後端両側と対応するケース１３１の間にそれぞれ前記第一段階角度調整器１４が取り付けられ、また、該第一段階角度調整器１４は対応する回転軸１３６により駆動され、それにより第一回転ケース２０をベース１０に対して安定して枢転することが出来る。該第一段階角度調整器１４は周知な技術なので、その詳細な説明を省略する。
【００２１】
前記第二段階回転部材は、第一ケース２１に設置され、第二段階直流機２２と、２つの二級ウォーム部材２３と、２つの第二段階角度調整器２４とを有し、該第二段階直流機２２は、第一ケース２１の後端中央に配置され、両端それぞれに可撓軸２２１が設置され、該可撓軸２２１は、該第二段階直流機２２の両端それぞれに結合されている。該二級ウォーム部材２３は第一ケース２１の両端それぞれに配置される。
【００２２】
図５乃至図７に示すように、前記各二級ウォーム部材２３は、第二段階第一ウォ−ム２３１と、第二段階第一ウォ−ムギア２３２と、第二段階第二ウォ−ム２３３と、第二段階第二ウォ−ムギア２３４と、駆動輪２３５と、従動輪２３６と、ベルト２３７と、伝動軸２５とを有し、該第二段階第一ウォ−ム２３１は、該第二段階直流機２２の対応する可撓軸２２１に連接されて第二段階直流機２２により駆動されることで回転することができ、該第二段階第一ウォ−ムギア２３２は、第二段階第一ウォ−ム２３１と噛み合い、該第二段階第二ウォ−ム２３３は、第二段階第一ウォ−ムギア２３２の一端から同軸に延設され、該第二段階第二ウォ−ムギア２３４は、第二段階第二ウォ−ム２３３と噛み合い、該駆動輪２３５は、第二段階第二ウォ−ムギア２３４の一側中心から同軸に延設され、該従動輪２３６は、回転可能に第一ケース２１の前端に設置され、該ベルト２３７は、駆動輪２３５及び従動輪２３６に巻回され、該伝動軸２５は、従動輪２３６の一側に同軸に設けられる。
【００２３】
二つの接触検知スイッチ２３８、２３８Ａが該第一ケース２１の後端に設けられており、該二級ウォーム部材２３のうちの一方に隣接する一側に位置している。ネジ棒２３９は、接触検知スイッチ２３８、２３８Ａの近傍に設置されると共に、駆動輪２３５に同軸に延設され、また、該ネジ棒２３９に長手方向に沿って移動自在なナット２３９１が螺合され、該ナット２３９１の外周面に接触タブ２３９２が延設され、該接触タブ２３９２は、該接触検知スイッチ２３８、２３８Ａとの間に介在すると共に、螺旋移動により接触検知スイッチ２３８または接触検知スイッチ２３８Ａと接触可能である。
【００２４】
図２に示すように、前記第二回転ケース３０は、第一回転ケース２０に枢設され、第二段階回転部材に駆動され、第二ケース３１及び第三段階回転部材を備え、第二ケース３１は、前端と後端とを有している。該第二ケース３１の後端は、第一回転ケース２０の第一ケース２１の前端に枢設され、該第二ケース３１の後端各側それぞれと第一ケース２１の前端の対応する側との間にそれぞれ前記第二段階角度調整器２４が取り付けられ、該第二段階角度調整器２４は対応する伝動軸２５により駆動され、それにより第二回転ケース３０を第一回転ケース２０に対して安定して枢転させると共に、第二回転ケース３０を第一回転ケース２０の上面に折り畳むことができる。
【００２５】
図８に示すように、前記第三段階回転部材は、第二ケース３１に設置され、第三段階直流機３２と、２つの後部第三段階第一ウォ−ム３３と、２つの前部第三段階第一ウォ−ム３４と、２つの第三段階可撓軸３５とを有し、該第三段階直流機３２は、第二ケース３１の後端中央に配置され、第二ケース３１の両端それぞれに可撓軸３２１を有し、該可撓軸３２１は、該第三段階直流機３２の両端にそれぞれ結合されている。該後部第三段階第一ウォ−ム３３は第二ケース３１の後端両側それぞれに設置され、該前部第三段階第一ウォ−ム３４は第二ケース３１の前端両側それぞれに設置され、該第三段階可撓軸３５は、該後部第三段階第一ウォ−ム３３及び前部第三段階第一ウォ−ム３４を連動させる。
【００２６】
図９に示すように、前記各後部第三段階第一ウォ−ム３３は、第三階段後ウォーム３３１及び第三階段後ウォームギア３３２を備え、該第三階段後ウォーム３３１は、該第三直流機３２の対応する可撓軸３２１に連接されて第三段階直流機３２により駆動されて回転し、該第三階段後ウォームギア３３２は、第三階段後ウォーム３３１と噛み合い、第三段階可撓軸３５の一端に連結される。前記各前部第三段階第一ウォ−ム３４は、第三段階ウォーム３４１と、第三段階ウォームギア３４２と、第三段階ギア３４３と、伝動軸３４４とを備え、該第三段階ウォーム３４１は、第三段階可撓軸３５の他端に連結され、該第三段階ウォームギア３４２は、第三段階ウォーム３４１と噛み合い、該第三段階ギア３４３は、第三段階ウォームギア３４２の一側中央から同軸に設けられ、該伝動軸３４４は、軸体及び該軸体の一端及び一端に設けられる歯車を備え、該歯車が第三段階ギア３４３と噛み合っている。
【００２７】
図２及び図８に示すように、前記第二回転ケース３０は、第３段階接触検知スイッチ３６、３６Ａを有する。第３段階接触検知スイッチ３６、３６Ａは、それぞれ前部第三段階第一ウォ−ム３４の近傍位置に設置されると共に、前記第二ケース３１の前端両側に取り付けられている。
【００２８】
前記足置き台４０は、第二回転ケース３０に枢設され、足置き台４０の両側の近傍にそれぞれ連結アーム４１が設けられ、該連結アーム４１は、該足置き台４０の両端にそれぞれ形成されており、第二回転ケース３０の前端における伝動軸３４４に固定され、したがって、該伝動軸３４４の回転によって、足置き台４０が駆動されて第二回転ケース３０に対して回転すると共に、一方の連結アーム４１を駆動して第三段階接触検知スイッチ３６Ａに接触させることができる。また、他方の連結アーム４１には止め凸部４１１が突設されており、止め凸部４１１は該伝動軸３４４の回転により第三段階接触検知スイッチ３６に接触することができる。
【００２９】
図５乃至図７及び図１１に示すように、本発明に係る折り畳み式オットマン装置を展開して使用する時、先ず第二回転ケース３０を第一回転ケース２０に対して前方に向かって回転する操作を行い、それは、第二段階直流機２２を駆動して可撓軸２２１を介して第二段階第一ウォ−ム２３１を回転させ、この第二段階第一ウォ−ム２３１の回転により、第二段階第一ウォ−ムギア２３２、第二段階第二ウォ−ム２３３、第二段階第二ウォ−ムギア２３４、駆動輪２３５、ベルト２３７、従動輪２３６及び伝動軸２５を順次連動して回動させ、該駆動輪２３５がベルト２３７を介して従動輪２３６及び伝動軸２５を回転させ、それにより該第二段階角度調整器２４が駆動されて、第二回転ケース３０を第一回転ケース２０に対して枢転して展開することができる。
【００３０】
なお、図４及び図１２に示すように、第二回転ケース３０を第一回転ケース２０に対して前方に向かって４５度に回転させると、第一段階直流機１２が駆動して第一段階ウォーム歯車１３２を枢転させ、この第一段階ウォーム歯車１３２の回転により、第一段階角度調整器１４を駆動して回転させ、第一段階ウォーム１３３、小ギア１３４、大ギア１３５、回転軸１３６が順次連動し、それにより第一回転ケース２０をベース１０に対して枢転して展開することができる。
【００３１】
また、図２及び図３に示すように、第一回転ケース２０をベース１０に対して枢転する時は、一方の回転軸１３６の回転により第一当接部１３８を回転させ、他方の回転軸１３６Ａの回転により第二当接部１３８Ａを回転させる。また、図１３に示すように、第一回転ケース２０がベース１０に対して９０度に回転すると、第一当接部１３８がストッパ１３７の上部に当接すると共に、第二当接部１３８Ａが第一接触スイッチ１３９に接触する。この第二当接部１３８Ａが第一接触スイッチ１３９に接触すると、第一接触スイッチ１３９に接続された電気回路を検知して、該電気回路がループ回路になっているか、第一回転ケース２０の９０度の回転が完了したかどうかをチェックする。
【００３２】
その後、図２及び図５に示すように、第二回転ケース３０を第一回転ケース２０に対して枢転する時は、該駆動輪２３５に設けられたネジ棒２３９を回転することによって、ナット２３９１を軸方向に沿って移動させる。図１４に示すように、第二回転ケース３０を第一回転ケース２０に対して１８０度になるように回転させると、ナット２３９１の接触タブ２３９２が一方の接触検知スイッチ２３８と接触し、それにより接触検知スイッチ２３８に接続された電気回路を検知して、該電気回路がループ回路になっているか、第二回転ケース３０の１８０度の回転が完了したかどうかをチェックする。
【００３３】
最後に、図８、図９及び図１５に示すように、第三段階直流機３２を駆動して第三階段後ウォーム３３１を回転させ、この第三階段後ウォーム３３１の回転により、第三階段後ウォームギア３３２、第三段階可撓軸３５、第三段階ウォーム３４１、第三段階ウォームギア３４２、第三段階ギア３４３、伝動軸３４４が順次連動して回転すると、足置き台４０が第二回転ケース３０に対して展開する。この足置き台４０を第二回転ケース３０に対して展開させた時に一方の連結アーム４１の止め凸部４１１が第三段階接触検知スイッチ３６に接触すると、足置き台４０の回転が止まる。この時、その第三段階接触検知スイッチ３６に接続された電気回路を検知して、該電気回路がループ回路になっているか、足置き台４０が完全に展開したかどうかをチェックする。
【００３４】
本発明に係る折り畳み式オットマン装置には、三段階式の折り畳み構造を有するので、オットマンの長さを伸張し、使用者の足を第一回転ケース２０及び第二回転ケース３０に置きながら、足裏で足置き台４０を踏むことができるので、筋肉の疲労が減少し、快適になる。
【００３５】
一方、図８に示すように、本発明に係る折り畳み式オットマン装置を折り畳んで収納する時には、第三段階直流機３２を駆動して足置き台４０を第二回転ケース３０の上面に向かって回転させて折り畳む。足置き台４０を第二回転ケース３０の上面に向かって回転させ、止め凸部４１１が設けられていない方の連結アーム４１が一方の第三段階接触検知スイッチ３６Ａに接触すると、足置き台４０が完全に第二回転ケース３０の上面に重ね合わせられる。
【００３６】
図５に示すように、第二段階直流機２２を駆動して第二回転ケース３０を第一回転ケース２０の上面に向かって回転させて折り畳む。従動輪２３５に取り付けられたネジ棒２３９を回転することによって、ナット２３９１が移動して、接触タブ２３９２が他方の接触検知スイッチ２３８Ａに接触すると、第二回転ケース３０が完全に第一回転ケース２０の上面に重ね合わせられる。
【００３７】
図１及び図３に示すように、第一段階直流機１２を駆動して第一回転ケース２０を後方へ回転させて折り畳む。一方の回転軸１３６が回転することにより第一当接部１３８がストッパ１３７の下部に接触すると共に、他方の回転軸１３６Ａが回転することにより第二当接部１３８Ａが第一接触スイッチ１３９Ａに接触すると、第一回転ケース２０が完全に折り畳まれて収納される。従って、折り畳み式オットマン装置の面積が減少し、折り畳み式オットマン装置の伸張及び収納に便利である。
【００３８】
上述したように、本発明に係る折り畳み式オットマン装置において、展開する時には、使用者が足を伸ばして筋肉の疲労を解消することができ、折り畳んで収納する場合には、オットマン装置の体積が小さくなり、車内の空間の節約することから、使用上、優れた実用性を有する。
【産業上の利用可能性】
【００３９】
上述したように、本発明に係る折り畳み式オットマン装置においては、第一回転ケースをベースに対して枢転して展開すると共に、第二回転ケースを第一回転ケースに対して枢転して展開することができるので、使用者の足をオットマン装置に置いて快適に伸ばしてもよく、筋肉の疲労を解消することができる。また、本発明に係る折り畳み式オットマン装置を折り畳んで収納してもよく、車内などの置き場所の空間の節約し、使用上、実用性に優れる。
【符号の説明】
【００４０】
１０              ベース
１１              固定座
１２              第一段階直流機
１２１            可撓軸
１３              ギア部材
１３１、１３１Ａ  ケース
１３２            第一段階ウォーム歯車
１３３            第一段階ウォーム
１３４            小ギア
１３５            大ギア
１３６、１３６Ａ  回転軸
１３７            ストッパ
１３８            第一当接部
１３８Ａ          第二当接部
１３９、１３９Ａ  第一接触スイッチ
１４              第一段階角度調整器
２０              第一回転ケース
２１              第一ケース
２２              第二段階直流機
２２１            可撓軸
２３              二級ウォーム部材
２３１            第二段階第一ウォ−ム
２３２            第二段階第一ウォ−ムギア
２３３            第二段階第二ウォ−ム
２３４            第二段階第二ウォ−ムギア
２３５            駆動輪
２３６            従動輪
２３７            ベルト
２３８、２３８Ａ  接触検知スイッチ
２３９            ネジ棒
２３９１          ナット
２３９２          接触タブ
２４              第二段階角度調整器
２５              伝動軸
３０              第二回転ケース
３１              第二ケース
３２              第三段階直流機
３２１            可撓軸
３３              後部第三段階第一ウォ−ム
３３１            第三階段後ウォーム
３３２            第三階段後ウォームギア
３４              前部第三段階第一ウォ−ム
３４１            第三段階ウォーム
３４２            第三段階ウォームギア
３４３            第三段階ギア
３４４            伝動軸
３５              第三段階可撓軸
３６、３６Ａ      第三段階接触検知スイッチ
４０              足置き台
４１              連結アーム
４１１            止め凸部
５０              座席
【図１】
2013039908.tif 000003
【図２】
2013039908.tif 000004
【図３】
2013039908.tif 000005
【図４】
2013039908.tif 000006
【図５】
2013039908.tif 000007
【図６】
2013039908.tif 000008
【図７】
2013039908.tif 000009
【図８】
2013039908.tif 000010
【図９】
2013039908.tif 000011
【図１０】
2013039908.tif 000012
【図１１】
2013039908.tif 000013
【図１２】
2013039908.tif 000014
【図１３】
2013039908.tif 000015
【図１４】
2013039908.tif 000016
【図１５】
2013039908.tif 000017